(57)【要約】      （修正有）【課題】釣竿に何ら固定専用部品を取付けることのなく、船釣りの際に船べりに挟んで固定し、釣竿を簡単に脱着することのできる竿掛保持器を提供する。【解決手段】上部の竿受け部は、竿受け部本体１の前方に竿受けゴム／前２が取り付き、釣り人手前側には竿掴み／左３および右４が、手前側に連動して倒れ、かつ左右に開閉する機構を有して組込まれている。左右竿掴み３、４の内側には、竿受けゴム／後５が左右竿掴みを繋ぐ形で組込まれている。下部の万力部は、脱着ノブ９の少ない捻り量により、固定と弛緩、脱落防止および上部竿受け部と楽に分割することができる構造を有しており、自ら回転することのできる構造を備えた回転式万力腕１０が、その接触面である万力腕スライド部１３を上下に滑動することができるように組立られ、万力腕抜け止め１４により、万力部本体６から脱落しない部品構成となっている。【選択図】図２
0003166729.tif 000002
【実用新案登録請求の範囲】
【請求項１】
図１の「外観形状」で示すとおり、本物品は、上部の竿受け部本体と下部の万力部本体に二分割することができ、図１（１）に示すとおり、下部の万力部本体は船べりの構造に合わせて垂直固定、水平固定が選択でき、どちらの固定状態においても上部の竿受け部の機能を損なわない形状を呈している。
図２に「前後外観」に各部の名称を示す。上部の竿受け部は、１竿受け部本体の前方に２竿受けゴム／前が取り付き、釣り人手前側には３，４竿掴み／左および右が、手前側に連動して倒れ、かつ左右に開閉する機構を有して組込まれている。３，４左右竿掴みの内側には、５竿受けゴム／後が３，４左右竿掴みを繋ぐ形で組込まれている。
下部の万力部は、９脱着ノブの少ない捻り量により、固定と弛緩、脱落防止および上部竿受け部と楽に分割することができる構造を有しており、自ら回転することのできる構造を備えた１０回転式万力腕が、その接触面である１３万力腕スライド部を上下に滑動することができるように組立られ、１４万力腕抜け止めにより、６万力部本体から脱落しない部品構成となっている。
図３に「竿掴み」の構造と動作説明を示す。
図３（１）において、３，４左右竿掴みに釣竿が置かれた状態を示す。
３，４左右竿掴みは、１竿受け部本体左右側面に回転支点を持つ１５左右竿掴み回転軸およびこの軸を貫く１６，１７竿掴み開閉軸／左右により組み立てられ、この３軸を内包することで前後に傾動連動し、左右に個別開閉する構造となっている。３，４左右竿掴み下部には一体化した１８竿掴みカム接触部があり、１竿受け部本体と一体化された１９左右竿掴み開閉カム部側面と接触滑動する構造となっている。この１９左右竿掴み開閉カム部は、１５左右竿掴み回転軸を中心とする円弧の一部形状を呈しており、手前側の幅が厚く、前方側は２０度回転滑動した位置より薄くなり、３０度滑動した位置ではさらに薄くなる左右対称形を呈している。
図３（２）に釣竿が竿受けから離れた状態を示す。
上記のカム形状により、３，４左右竿掴みが掴んでいる釣り竿を２０度立ち上げた位置より竿掴み力が小さくなり始め、更に立ち上げると竿掴み力が無くなることとなる。また、３，４左右竿掴みは１５左右回転軸中心より釣り人手前側が重く、１６，１７竿掴み開閉軸／左右においては両外側が重くなっており、自重により後方に傾き、かつ左右に開いた状態で静止する形状を呈している。
左右対称である２０右竿掴み接触部軌跡を図３（２）右に図示する。
この機構により、釣り人は釣竿を開いて静止している３，４左右竿掴みに載せて前方へ倒すだけで３，４左右竿掴みは閉じ、１竿受け部本体に確実に固定することができる。逆に、釣り人が待ちの状態から魚を釣り上げる際には、竿を立てるという自然な動作しか必要としないのが本物品考案の最大の特徴となっている。
【請求項２】
図４に「回転万力」の構造説明を示す。
図４（１）に釣り船の簡略上面図を示す。
船釣りは、左右両舷側では隣の釣り人との間隔が狭く、竿の向きは舷側に対し正面方向に制約されており、竿を左右へ向けることはできない。船釣りにおいて潮の流れと釣り船の動きから、釣り人にとって有利な位置は船首よりも広い竿先位置が確保できる船尾とされている（図中アミ掛け範囲）。釣り人が、この位置を確保できた場合などのために、図４（２）に回転のできる万力腕を考案しその構造を示す。
図４（２）に回転式万力腕の周辺断面図と分解構成図を示す。
この回転式万力腕は、回転構造を有している。１３万力部スライド部／断面より、僅かに大きい長方形穴を有した１１万力回転軸を、２２万力回転軸板と２３スクリュにより組立てられた１０回転式万力腕を構成している。
図４（３）に１０回転万力腕以下の組立品の動きを示す。
従来流通品の万力部は船べりに固定する際、万力ボルトを船べりの構造に合致するまで締め込まなくてはならないが、本物品の回転式万力腕組立品は、図４（３）のごとく１０回転式万力腕を大まかに移動させた後、１２万力ボルトを僅かに締め込むだけで固定できる機能を有している。１２万力ボルトを締め込むほど１３万力腕スライド部と１１万力回転軸は強い力で接触することで固定され、取り外しの際も僅かに１２万力ボルトを緩めるだけでこの固定力が消失し、１３万力腕スライド部上の１０回転式万力腕を移動できるようになり、その結果６万力部本体を船べりより簡単に取り外すことができる。
また、この締め込み力を受ける６万力部本体上部は、船べりへの取付け方向の角度変更に対応できるようにするために２４扇形を呈している。この構造により釣り竿を船べりとの垂直線に対し左右共４０度程度、竿受け取付け角度を調整できることとなる（図４（１）／船尾側参照）。
【請求項３】
図５に「９脱着ノブ」の構造と動作を示す。
図５（１，２）において、１竿受け部本体の回転支点は、球面の一部を持つ２５凹みを呈している。対して、６万力部本体の７，８万力支点部／左右には、この２５凹み分に対応する同径の球面の一部である膨らみを持つ２６支点椀を左右共に内蔵している。この２６支点椀には、左右各３個の２７ゴムスプリングが取付けられ、その弾力により常に６万力部本体内側に押し出されており、２５凹み分は自由に動くことができる。２６支点椀／左右は６脱着ノブおよび７万力部本体支点左内側の固定軸に、２８止め環により脱落しないように取付けられている。
図５（１）より（３）において、船べりに取付けられた６万力部本体に、１竿受け部本体を取付ける際の各部品の動きを示す。
図５（１）で、１竿受け部本体の支点部が６万力部本体の支点部に挿入されると、２６支点椀／左右が外側に押し広げられ、２７ゴムスプリングの弾力による軽い抵抗を受けることとなる。
図５（２）で、更に挿入される２６支点椀は２７ゴムスプリングの弾力により内側に押し出され、１竿受け部本体の２５凹みと２６支点椀の膨らみは同径の球面であるため、おのずと２９竿受け回転中心として合致し、即座に心出しができる。
図５（３）で、９脱着ノブを締め込むと、その３０ネジ平面部が２６支点椀／右と接触することで２６支点椀／右は自由な動きを制限され、１竿受け部本体の２５凹みに勘合されることで１竿受け本体は脱落することが無くなる。この時点では１竿受け本体は、２６支点椀を軸に自由に回転することができるが、更に９脱着ノブを締め込むと２６支点椀／右膨らみが１竿受け本体の２５凹みに広い面積で圧し付けられ、７万力支点部／左フランジ部全周がその圧力を受けることで、１竿受け本体を任意の角度に固定することができる構造となっている。さらに、この広い面積の摩擦を使用する構造は、釣り人による９脱着ノブ締め込み量の微妙な調整を可能とし、魚の魚信（アタリ）や、釣り船のローリングと波浪による竿跳ね上げの緩衝などに対応できる。この構造は、９脱着ノブの締め込み量が少なくてすむため、釣り人の手間と負荷の軽減ができるものとなっている。
【請求項４】
図３（２）右  参照
５竿受けゴム／後は、釣竿の多様な直径に対応する内径を持った２１ヒダ状の曲断面形状を呈し、その大きな柔軟性により竿を確実に掴むことができ、釣り竿を立てて３，４左右竿掴みが竿を掴む力が無くなった際は、その柔軟性が３，４左右竿掴みを開く力を発揮することとなる。
【考案の詳細な説明】
【考案の概要】
本物品は、船釣りの際に船べりに挟んで固定し、釣竿を簡単に脱着することのできる竿掛保持器である。
【考案が解決しようとする課題】従来、市販されている竿掛保持器の構造は、釣竿に固定専用部品を別に取付けて、竿掛保持器に組込み固定する形式と、竿の重量を用いて前方と手前の竿掛けフックに、釣り竿全体を預ける形式のものが主流となっている。しかし、これらの方式では魚の魚信（アタリ）があった釣竿を竿掛保持器から外す際、留め金となっているレバーを握る煩わしい動作が必要なことや、手前竿掛けフックに釣竿が干渉してしまうという課題を持っている。
【課題を解決する手段】
本物品は、釣竿に何ら固定専用部品を取付けることのなく、釣竿を手前側で開いている竿掴み部に載せ前方へ倒すだけで確実に固定し、竿を立てるだけで竿掛保持器から解放する構造を持たせている。
【考案の効果】
魚の魚信（アタリ）に合わせる（竿を立てる）と同時に、竿掛保持器から自動的に釣竿を解放し、釣り上げる動作に無理なく移行できる。
【図面の簡単な説明】
【図１】「外観形状」を示した平面図である。
【図２】「前後外観」を示した斜視図である。
【図３】「竿掴み部」を示した斜視動作説明図である。
【図４】「回転万力部」を示した斜視説明図である。
【図５】「脱着ノブ」および「支点部」の動作説明断面図である。
【符号の説明】  １．竿受け部本体
２．竿受けゴム／前
３．竿掴み／左
４．竿掴み／右
５．竿受けゴム／後
６．万力部本体
７．万力支点部／左
８．万力支点部／右
９．脱着ノブ
１０．回転式万力腕
１１．万力回転軸
１２．万力ボルト
１３．万力腕スライド部
１４．万力腕抜け止め
１５．左右竿掴み回転軸
１６．竿掴み開閉軸／左
１７．竿掴み開閉軸／右
１８．竿掴みカム接触部
１９．左右竿掴み開閉カム部
２０．右竿掴み接触部軌跡
２１．ヒダ状の断面形状
２２．万力回転軸板
２３．スクリュ
２４．扇形
２５．凹み
２６．支点椀
２７．ゴムスプリング
２８．止め環
２９．竿受け回転中心
３０．ネジ平面部
【図１】
0003166729.tif 000003
【図２】
0003166729.tif 000004
【図３】
0003166729.tif 000005
【図４】
0003166729.tif 000006
【図５】
0003166729.tif 000007
【手続補正書】
【提出日】平成22年2月10日(2010.2.10)
【手続補正１】
【補正対象書類名】実用新案登録請求の範囲
【補正対象項目名】全文
【補正方法】変更
【補正の内容】
【実用新案登録請求の範囲】
［竿掛保持器全体の概要説明］
図１の「外観形状」で示すとおり、本物品は、上部の竿受け部本体と下部の万力部本体に二分割することができ、図１（１）に示すとおり、下部の万力部本体は船べりの構造に合わせて垂直固定、水平固定が選択でき、どちらの固定状態においても上部の竿受け部の機能を損なわない形状を呈している。
図２に「前後外観」に各部の名称を示す。上部の竿受け部は、１竿受け部本体の前方に２竿受けゴム／前が取り付き、釣り人手前側には３，４竿掴み／左および右が、手前側に連動して倒れ、かつ左右に開閉する機構を有して組込まれている。３，４左右竿掴みの内側には、５竿受けゴム／後が３，４左右竿掴みを繋ぐ形で組込まれている。
下部の万力部は、９脱着ノブの少ない捻り量により、固定と弛緩、脱落防止および上部竿受け部と楽に分割することができる構造を有しており、自ら回転することのできる構造を備えた１０回転式万力腕が、その接触面である１３万力腕スライド部を上下に滑動することができるように組立られ、１４万力腕抜け止めにより、６万力部本体から脱落しない部品構成となっている。
【請求項１】
図３（１）において、３，４左右竿掴みに釣竿が置かれた状態を示す。
３，４左右竿掴みは、１竿受け部本体左右側面に回転支点を持つ１５左右竿掴み回転軸と、この軸を貫く１６，１７竿掴み開閉軸／左右により組み立てられ、この３軸を内包することで前後に傾動連動し、左右に個別開閉することができ、３，４左右竿掴み下部には一体整形された１８竿掴みカム接触部があり、１竿受け部本体に一体整形された１９左右竿掴み開閉カム部側面と接触滑動することとなり、この１９左右竿掴み開閉カム部は、１５左右竿掴み回転軸を中心とする円弧の一部形状を呈しており手前側の幅が厚く、前方側は２０度回転滑動した位置より薄くなり、３０度滑動した位置ではさらに薄くなる左右対称形を持ち、この各部品の組合せにより、竿を立てた際に自動的に３，４左右竿掴みが開き、竿を開放する機能を有する竿掛保持器である。
［左右竿掴み動作の説明］図３（２）に釣竿が竿受けから解放される状態を説明する。
前記のカム形状により、３，４左右竿掴みが掴んでいる釣り竿を２０度立ち上げた位置より竿掴み力が小さくなり始め、更に立ち上げると竿掴み力が無くなることとなる。
また、３，４左右竿掴みは１５左右回転軸中心より釣り人手前側が重く、１６，１７竿掴み開閉軸／左右においては両外側が重くなっており、自重により後方に傾き、かつ左右に開いた状態で静止する形状を呈している。
左右対称である２０右竿掴み接触部軌跡を図３（２）右に図示する。
この機構により、釣り人は釣竿を開いて静止している３，４左右竿掴みに載せて前方へ倒すだけで３，４左右竿掴みは閉じ、１竿受け部本体に確実に固定することができ、逆に、釣り人が待ちの状態から魚を釣り上げる際には、竿を立てるという自然な動作しか必要としないのが本物品考案の特徴となっている。
【請求項２】
図４（２）に回転式万力腕の断面図と分解構成図を示す。
１０回転式万力腕は、１３万力部スライド部／断面より、僅かに大きい長方形穴を有した１１万力回転軸を、２２万力回転軸板と２３スクリュにより組立てられており、６万力部本体に対して回転機能を有していることで、上部の竿受け部本体は、船べりに対して正面方向から左右へ各４０度までの固定角度を持たすことが可能な竿掛保持器としている。
［釣り船の状況と動作の説明］
図４（１）に釣り船の簡略上面図を示す。
船釣りは、左右両舷側では隣の釣り人との間隔が狭く、竿の向きは船べりに対し正面方向に制約されており、竿を左右へ向けることはできない。船釣りにおいて潮の流れと釣り船の動きから、釣り人にとって有利な位置は船首よりも広い竿先位置が確保できる船尾とされている（図中アミ掛け範囲）。釣り人が、この位置を確保できた場合など、請求項２の考案を活かすことができるものである。
図４（３）に１０回転万力腕以下の組立品の動きを示す。
従来流通品の万力部は船べりに固定する際、万力ボルトを船べりの構造に合致するまで締め込まなくてはならないが、本物品の回転式万力腕組立品は、図４（３）のごとく１０回転式万力腕を大まかに移動させた後、１２万力ボルトを僅かに締め込むだけで固定できる機能を有している。１２万力ボルトを締め込むほど１３万力腕スライド部と１１万力回転軸は強い力で接触することで固定され、取り外しの際も僅かに１２万力ボルトを緩めるだけでこの固定力が消失し、１３万力腕スライド部上の１０回転式万力腕を移動できるようになり、その結果６万力部本体を船べりより簡単に取り外すことができる。
また、この締め込み力を受ける６万力部本体上部は、船べりへの取付け方向の角度変更に対応できるようにするために２４扇形を呈している。この構造により釣り竿を船べりとの垂直線に対し左右共４０度程度、竿受け取付け角度を設定できることとなる（図４（１）／船尾側  参照）。
【請求項３】
図５に、９脱着ノブ関係の構造と動作を示す。
１竿受け部本体の回転支点は、球面の一部を持つ２５凹みを呈しており、対して６万力部本体の７，８万力支点部／左右には、この２５凹み分と同径の球面の一部である膨らみを持つ２６支点椀を左右共に内蔵しており、左右各３個の２７ゴムスプリングが取付けられ、その弾力により常に６万力部本体内側に押し出されており、２６支点椀／左右は９脱着ノブ、および７万力部本体支点左内側の固定軸に、２８止め環により脱落しないように取付けられており、これらの構造を有することで、１竿受け部本体と６万力部本体を組付ける際に即座に回転軸の心出しができ、固定、脱着が９脱着ノブの少ない捩り量で済むうえ、捩り具合により自由上下回動を行い、釣り人の竿さばきを活かすことができる竿掛保持器としている。
［９脱着ノブに関わる動作の説明］
図５（１）より（３）において、船べりに取付けられた６万力部本体に、１竿受け部本体を取付ける際の各部品の動きを示す。
図５（１）で、１竿受け部本体の支点部が６万力部本体の支点部に挿入されると、２６支点椀／左右が外側に押し広げられ、２７ゴムスプリングの弾力による軽い抵抗を受けることとなる。
図５（２）で、更に挿入される２６支点椀は２７ゴムスプリングの弾力により内側に押し出され、１竿受け部本体の２５凹みと２６支点椀の膨らみは同径の球面であるため、おのずと２９竿受け回転中心として合致し、即座に回転軸の心出しができる。
図５（３）で、９脱着ノブを締め込むと、その３０ネジ平面部が２６支点椀／右と接触することで２６支点椀／右は自由な動きを制限され、１竿受け部本体の２５凹みに勘合されることで１竿受け本体は脱落することが無くなる。この時点では１竿受け本体は、２６支点椀を軸に自由に回転することができるが、更に９脱着ノブを締め込むと２６支点椀／右膨らみが１竿受け本体の２５凹みに広い面積で圧し付けられ、７万力支点部／左フランジ部全周がその圧力を受けることで、１竿受け本体を任意の角度に固定することができる構造となっている。さらに、この広い面積の摩擦を使用する構造は、釣り人による９脱着ノブ締め込み量の微妙な調整を可能とし、魚の魚信（アタリ）や、釣り船のローリングと波浪による竿跳ね上げの緩衝などに対応できる。
この構造は、９脱着ノブの締め込み量が少なくてすむため、釣り人の手間と負荷の軽減ができるものとなっている。
【請求項４】
図３（２）右  参照
５竿受けゴム／後は、３，４左右竿掴みの内側に左右一体で連結するように取り付られる形状をしており、釣り竿の多様な直径に対応する２種の内径を持った２１ヒダ状の湾曲した断面形状を呈しており、その柔軟性により釣り竿を確実に掴むことができるうえ、釣り竿を立てて３，４左右竿掴みが竿を掴む力が無くなった際は、その柔軟性が３，４左右竿掴みを開く力を発揮する機能を持たせたもので、請求項１の開く動作を補足することができる竿掛保持器の一部品である。
【手続補正書】
【提出日】平成22年6月14日(2010.6.14)
【手続補正１】
【補正対象書類名】実用新案登録請求の範囲
【補正対象項目名】全文
【補正方法】変更
【補正の内容】
【実用新案登録請求の範囲】
【請求項１】
竿受け部本体（１）の後方に位置する、竿掴み左（３）と竿掴み右（４）は、釣竿を左右から掴める形状を持つ左右対称形を呈し、それぞれの下端には竿掴みカム接触部（１８）が設けられ、竿と接触する内面には多種の釣竿直径に対応できるヒダ状断面（２１）を持つ竿受けゴム後（５）が、竿掴み左（３）と竿掴み右（４）を連結して貼り付けられ、竿受け部本体（１）の左右側面に支持される左右竿掴み回転軸（１５）と、この軸を前後方向に貫く竿掴み開閉軸左（１６）と竿掴み開閉軸右（１７）により竿受け部本体（１）に組み込まれ、この３軸により前後方向に連動回転し、左右方向に個別に回転開閉することができ、竿掴みカム接触部（１８）が、竿受け部本体（１）に設けられた、左右竿掴み回転軸（１５）を中心軸とする円弧の一部形状を呈し、かつ同軸垂線より前方側２０度から３０度までの間で幅が狭くなる左右竿掴み開閉カム（１９）の側面と接触滑動することとなり、釣竿を水平に対して２０度立てると竿掴み左（３）と竿掴み右（４）が開き始め、３０度以上竿を立てた時には最大に開くことで、釣竿を自動的に開放する機能を持った竿掴み左（３）と竿掴み右（４）を有することを特徴とする竿掛保持器である。
【請求項２】
回転式万力腕（１０）は、挿入される万力回転軸（１１）が回転可能な僅かに大きい丸穴を持ち、前方には万力ボルト（１２）が取付けられており、万力部本体（６）の万力部スライド部（１３）断面形より僅かに大きい長方形穴を有した万力回転軸（１１）と、万力部スライド部（１３）断面形より僅かに大きい長方形穴を有した万力回転軸板（２２）、スクリュ（２３）により組み立てられており、万力部スライド部（１３）に下方より挿入され、万力部スライド部（１３）を上下に滑動できるとともに回転することができ、船べりを扇形部（２４）と万力ボルト（１２）で挟み、万力ボルト（１２）を締め上げると、万力回転軸（１１）の長方形穴後方上縁と、万力回転軸板（２２）の長方形穴前方下縁と万力部スライド部（１３）とに摩擦力が集中し上下に滑動ができなくなるとともに、船べりに対して正面方向より左右へ各４０度程度までの範囲の任意の角度で固定することを可能にする回転式万力腕（１０）を有することを特徴とする竿掛保持器である。
【請求項３】
万力部本体（６）に対する、竿受け部本体（１）の回転支点は、球面の一部を持つ凹み（２５）を呈しており、万力部本体（６）の万力支点部左（７）、万力支点部右（８）の内部には、この凹み（２５）と同径の球面の一部である膨らみを持つ支点椀（２６）が左右向かい合うように位置しており、各３個のゴムスプリング（２７）が取付けられ、その弾力により常に万力部本体（６）内側に押し出されており、支点椀（２６）左は万力支点部（７）の固定軸に、支点椀（２６）右は脱着ノブ（９）に回転することが可能なようにそれぞれ止め環（２８）により脱落しないように取付けられており、万力部本体（６）に、竿受け部本体（１）を組付ける際には必然的に回転軸が形成され、脱着ノブ（９）を捩り込むと竿受け部本体（１）を固定でき、捩り具合により自由に上下回動を行い、かつ脱着、固定が楽できる回転軸構造を有することを特徴とする竿掛保持器である。
【手続補正２】
【補正対象書類名】明細書
【補正対象項目名】全文
【補正方法】変更
【補正の内容】
【考案の詳細な説明】
【考案の概要】
本物品は、船釣りの際に船べりに挟んで固定し、釣竿を簡単に脱着することのできる竿掛保持器である。
【考案が解決しようとする課題】従来の市販されている竿掛保持器の構造は、釣竿に固定専用部品を別に取付けて、竿掛保持器に固定する形式と、竿の重量を用いて前方と手前の竿掛けフックに、釣り竿全体を預ける形式のものが主流となっている。しかし、これらの方式では魚の魚信があった釣竿を竿掛保持器から外す際には、レバーを握る煩わしい動作が必要なことや、手前の竿掛けフックに釣竿が干渉してしまうという魚釣りの動作とは相容れない課題を持っている。
【課題を解決する手段】
本物品は、釣竿に何ら固定専用部品を取付けることなく、竿掛保持器の手前側で開いている竿掴み部に釣竿を載せて前方へ倒すだけで確実に固定し、竿を立てるだけで釣竿を解放する構造を持たせている。
【考案の効果】
魚の魚信に合わせて、竿を立てると同時に竿掛保持器から自動的に釣竿を解放し、魚を釣り上げる動作に無理なく移行できる。
【図面の簡単な説明】
【図１】「外観形状」を示した平面図である。
【図２】「前後外観」を示した斜視図である。
【図３】「竿掴み部」を示した斜視動作説明図である。
【図４】「回転万力部」を示した斜視説明図である。
【図５】「脱着ノブ」および「支点部」の動作説明断面図である。
【符号の説明】  １．竿受け部本体
２．竿受けゴム前
３．竿掴み左
４．竿掴み右
５．竿受けゴム後
６．万力部本体
７．万力支点部左
８．万力支点部右
９．脱着ノブ
１０．回転式万力腕
１１．万力回転軸
１２．万力ボルト
１３．万力腕スライド部
１４．万力腕抜け止め
１５．左右竿掴み回転軸
１６．竿掴み開閉軸／左
１７．竿掴み開閉軸／右
１８．竿掴みカム接触部
１９．左右竿掴み開閉カム部
２０．右竿掴み接触部軌跡
２１．ヒダ状の断面形状
２２．万力回転軸板
２３．スクリュ
２４．扇形
２５．凹み
２６．支点椀
２７．ゴムスプリング
２８．止め環
２９．竿受け回転中心
３０．ネジ平面部
【請求項１の左右竿掴み動作の補足説明】
図３（２）において、釣竿がこの竿受けから解放される機構を説明する。
請求項１で記載の、竿掴み左（３）と竿掴み右（４）が釣竿を掴んでいる場合は、内面に貼られた竿受けゴム後（５）の弾力性により、左右竿掴み開閉カム（１９）の側面に、竿掴み左（３）と竿掴み右（４）の下端に設けられた竿掴みカム接触部（１８）が常に接触しており、釣竿を上下に動かし接触点が回転滑動すると、左右竿掴み開閉カム（１９）側面の形状変化により、釣竿を掴んで閉じている竿掴み左（３）と竿掴み右（４）は、釣竿を２０度立ち上げた位置より竿掴み力が小さくなり始め、更に立ち上げると竿掴み力が無くなることとなり、竿掴み左（３）と竿掴み右（４）は、左右回転軸中心（１５）より釣り人手前側が重く、竿掴み開閉軸左（１６）竿掴み開閉軸右（１７）においては両外側が重くなっており、自重により後方に傾き、かつ左右に開いた状態で静止する形状を呈しており、右竿掴み接触部軌跡（２０）を図３（２）右に図示する。この機構により、釣り人は開いて静止している竿掴み左（３）と竿掴み右（４）に釣竿を載せて前方へ倒すだけで、竿掴み左（３）と竿掴み右（４）は閉じ、内面に貼られた竿受けゴム後（５）の弾力性により、竿受け部本体（１）に確実に固定することができ、釣り人が待ちの状態から魚を釣り上げる際には、竿を立てるという自然な動作しか必要としないのが、この竿掛保持器の特徴となっている。
【請求項２の回転万力腕の補足説明】
図４（３）に回転式万力腕（１０）他の構成部品の動きを示す。
従来流通品の竿掛保持器の万力部は船べりに固定する際、万力ボルトを船べりの構造に合致するまで締め込まなくてはならないが、本物品の回転式万力腕（１０）他の構成部品は、図４（３）のごとく回転式万力腕（１０）を大まかに移動させた後、万力ボルト（１２）を僅かに締め込むだけで固定できる機能を有している。万力ボルト（１２）を締め込むほど万力腕スライド部（１３）と、万力回転軸（１１）、万力回転軸板（２２）は強い力で固定され、取り外しの際も僅かに万力ボルト（１２）を緩めるだけでこの固定力が消失し、回転式万力腕（１０）を移動できるようになり、その結果、万力部本体（６）を船べりより簡単に取り外すことができる。万力ボルト（１２）の締め込み力を受ける万力部本体（６）上部は、船べりへの取付け方向の角度変更に対応できるようにするために、扇形（２４）を呈している。この構造により、釣竿を船べりに対して左右共４０度程度、竿掛保持器の取付け角度を調整できることとなる。
（図４（１）の船尾側参照）
【請求項３の脱着ノブに関わる動作の補足説明】
図５（１）より（３）において、船べりに取付けられた万力部本体（６）に、竿受け部本体（１）を取付ける際の各部品の動きを示す。
図５（１）において、竿受け部本体（１）の回転支点が万力部本体（６）の支点部（８）に挿入されると、内部に向かい合って取付けられている支点椀（２６）が外側に押し広げられ、ゴムスプリング（２７）の弾力による軽い抵抗を受けることとなる。
図５（２）において、竿受け部本体（１）の回転支点が更に挿入されると、支点椀（２６）はゴムスプリング（２７）の弾力により内側に押し出され、竿受け部本体（１）の回転支点の凹み（２５）と支点椀（２６）の膨らみは同径の球面であるため、おのずと竿受け回転中心線（２９）として合致し、回転軸としての心出しができる。
図５（３）において、脱着ノブ（９）を締め込むと、そのネジ平面部（３０）が、右側支点椀（２６）と接触することで右側支点椀（２６）は竿受け部本体（１）の回転支点右側の凹み（２５）に広い面積で勘合されることで竿受け本体（１）は脱落することが無くなる。この時点では竿受け本体（１）は、右側支点椀（２６）を軸に自由に回転することができるが、更に脱着ノブ（９）を締め込むと、右側支点椀（２６）が竿受け本体（１）の凹み（２５）に圧着され、万力支点部左フランジ部（７）の全周がその圧力を受けることで、竿受け部本体（１）を任意の角度に固定することができる。この広い面積の摩擦を使用する構造は、釣り人による脱着ノブ（９）締め込み量の微妙な調整を可能とし、魚の魚信や、釣り船のローリングと波浪による竿跳ね上げの緩衝などに対応できる。この構造は、脱着ノブ（９）の締め込み量が少なくてすむため、釣り人の手間を省き、疲労軽減に生かせるものとなっている。
【手続補正書】
【提出日】平成22年9月30日(2010.9.30)
【手続補正１】
【補正対象書類名】実用新案登録請求の範囲
【補正対象項目名】全文
【補正方法】変更
【補正の内容】
【実用新案登録請求の範囲】
【請求項１】
竿受け部本体（１）の後方に位置する、竿掴み左（３）と竿掴み右（４）は、釣竿を左右から掴める形状を持つ左右対称形を呈し、それぞれの下端には竿掴みカム接触部（１８）が設けられ、竿と接触する内面には多種の釣竿直径に対応できるヒダ状断面（２１）を持つ竿受けゴム後（５）が、竿掴み左（３）と竿掴み右（４）を連結して貼り付けられ、竿受け部本体（１）の左右側面に支持される左右竿掴み回転軸（１５）と、この軸を前後方向に貫く竿掴み開閉軸左（１６）と竿掴み開閉軸右（１７）により竿受け部本体（１）に組み込まれ、この３軸により前後方向に連動回転し、左右方向に個別に回転開閉することができ、竿掴みカム接触部（１８）が、竿受け部本体（１）に設けられた、左右竿掴み回転軸（１５）を中心軸とする円弧の一部形状を呈し、かつ同軸垂線より前方側２０度から３０度までの間で幅が狭くなる左右竿掴み開閉カム（１９）の側面と接触滑動することとなり、釣竿を水平に対して２０度立てると竿掴み左（３）と竿掴み右（４）が開き始め、３０度以上竿を立てた時には竿掴み左（３）と竿掴み右（４）が最大に開くことで、釣竿を自動的に開放する機能を持つことを特徴とする竿掛保持器である。
【請求項２】
釣竿を自動的に開放する機能を持つことを特徴とする請求項１記載の竿掛保持器は、その記載内容に於いて、竿掛保持器として必要な上下方向の回転機構を持たないため、万力部本体（６）に対する、竿受け部本体（１）の回転支点は、球面の一部を持つ凹み（２５）を呈しており、万力部本体（６）の万力支点部左（７）、万力支点部右（８）の内部には、この凹み（２５）と同径の球面の一部である膨らみを持つ支点椀（２６）が左右向かい合うように位置しており、各３個のゴムスプリング（２７）が取付けられ、その弾力により常に万力部本体（６）内側に押し出されており、支点椀（２６）左は万力支点部（７）の固定軸に、支点椀（２６）右は脱着ノブ（９）に回転することが可能なようにそれぞれ止め環（２８）により脱落しないように取付けられており、万力部本体（６）に、竿受け部本体（１）を組付ける際には自動的に回転軸が形成され、脱着ノブ（９）を捩り込むと竿受け部本体（１）を固定でき、捩り具合により自由に上下回動を行い、かつ脱着、固定が楽できる回転軸構造を有することを特徴とする竿掛保持器である。
【請求項３】
釣竿を自動的に開放する機能を持つことを特徴とする請求項１記載、および上下回動と脱着、固定が楽できる回転軸構造を有することを特徴とする請求項２記載の竿掛保持器は、その記載内容に於いて、竿掛保持器として必要な水平方向の回転機構を持たないため、回転式万力腕（１０）は、挿入される万力回転軸（１１）が回転可能な僅かに大きい丸穴を持ち、前方には万力ボルト（１２）が取付けられており、万力部本体（６）の万力部スライド部（１３）断面形より僅かに大きい長方形穴を有した万力回転軸（１１）と、万力部スライド部（１３）断面形より僅かに大きい長方形穴を有した万力回転軸板（２２）、スクリュ（２３）により組み立てられており、万力部スライド部（１３）に下方より挿入され、万力部スライド部（１３）を上下に滑動できるとともに回転することができ、船べりを扇形部（２４）と万力ボルト（１２）で挟み、万力ボルト（１２）を締め上げると、万力回転軸（１１）の長方形穴後方上縁と、万力回転軸板（２２）の長方形穴前方下縁と万力部スライド部（１３）とに摩擦力が集中し上下に滑動ができなくなるとともに、船べりに対して正面方向より左右へ各４０度程度までの範囲の任意の角度で固定することを可能にする回転式万力腕（１０）を有することを特徴とする竿掛保持器である。
【手続補正書】
【提出日】平成22年12月21日(2010.12.21)
【手続補正１】
【補正対象書類名】実用新案登録請求の範囲
【補正対象項目名】全文
【補正方法】変更
【補正の内容】
【実用新案登録請求の範囲】
【請求項１】
竿受け部本体（１）の後方に位置する、竿掴み左（３）と竿掴み右（４）は、釣竿を左右から掴める形状を持つ左右対称形を呈し、それぞれの下端には竿掴みカム接触部（１８）が設けられ、竿と接触する内面には多種の釣竿直径に対応できるヒダ状断面（２１）を持つ竿受けゴム後（５）が、竿掴み左（３）と竿掴み右（４）を連結して貼り付けられ、竿受け部本体（１）の左右側面に支持される左右竿掴み回転軸（１５）と、この軸を前後方向に貫く竿掴み開閉軸左（１６）と竿掴み開閉軸右（１７）により竿受け部本体（１）に組み込まれ、この３軸により前後方向に連動回転し、左右方向に個別に回転開閉することができ、竿掴みカム接触部（１８）が、竿受け部本体（１）に設けられた、左右竿掴み回転軸（１５）を中心軸とする円弧の一部形状を呈し、かつ同軸垂線より前方側２０度から３０度までの間で幅が狭くなる左右竿掴み開閉カム（１９）の側面と接触滑動することとなり、釣竿を水平に対して２０度立てると竿掴み左（３）と竿掴み右（４）が開き始め、３０度以上竿を立てた時には竿掴み左（３）と竿掴み右（４）が最大に開くことで、釣竿を自動的に開放する機能を持つことを特徴とする竿掛保持器。
【請求項２】
請求項１に記載の竿掛保持器において、万力部本体（６）に接する竿受け部本体（１）の上下方向の回転支点は、球面の一部を持つ凹み（２５）を呈しており、万力部本体（６）の万力支点部左（７）および万力支点部右（８）の内部には、この凹み（２５）と同径の球面の一部である膨らみを持つ支点椀（２６）が左右向かい合うように位置しており、各３個のゴムスプリング（２７）が取付けられ、その弾力により常に万力部本体（６）内側に押し出されており、支点椀（２６）左は万力支点部（７）の固定軸に、支点椀（２６）右は脱着ノブ（９）に回転することが可能なようにそれぞれ止め環（２８）により脱落しないように取付けられており、万力部本体（６）に、竿受け部本体（１）を組付ける時点に必然的に回転軸が形成され、脱着ノブ（９）を捩り込むと竿受け部本体（１）を固定でき、捩り具合により自由に上下回動を行い、かつ脱着、固定が楽できる回転軸構造を有することを特徴とする竿掛保持器。
【請求項３】
請求項１および請求項２記載の竿掛保持器において、回転式万力腕（１０）は、挿入組付けされる万力回転軸（１１）が回転可能な僅かに大きい丸穴を持ち、前方には万力ボルト（１２）が取付けられており、万力部本体（６）の万力部スライド部（１３）断面形より僅かに大きい長方形穴を有した万力回転軸（１１）と、万力部スライド部（１３）断面形より僅かに大きい長方形穴を有した万力回転軸板（２２）、スクリュ（２３）により組み立てられており、万力部スライド部（１３）に下方より挿入され、万力部スライド部（１３）を上下に滑動できるとともに回転することができ、船べりを扇形部（２４）と万力ボルト（１２）で挟み、万力ボルト（１２）を締め上げると、万力回転軸（１１）の長方形穴後方上縁および万力回転軸板（２２）の長方形穴前方下縁と万力部スライド部（１３）とに摩擦力が集中し上下に滑動ができなくなるとともに、船べりに対して正面方向より左右へ各４０度程度までの範囲の任意の角度で固定することを可能にする回転式万力腕（１０）を有することを特徴とする竿掛保持器。